(57)【特許請求の範囲】
【請求項１】
スイッチを備えスイッチごとに固有のアドレスが設定される操作端末器と、負荷が接続され負荷ごとに固有のアドレスが設定される制御端末器と、操作端末器および制御端末器を分岐接続した信号線に接続されスイッチが操作されたときに操作端末器から受け取る監視データに基づいて負荷を制御する制御データを生成するとともに操作されたスイッチとの対応関係が設定されている負荷を接続した制御端末器に対して制御データを伝送する伝送制御装置と、信号線に接続され１つのスイッチの操作によって複数の負荷を一括して制御するように関係データを生成し関係データを伝送制御装置に転送し設定させる設定操作端末器とを備え、監視データおよび制御データは伝送制御装置が所定の時間間隔で送出している伝送信号に同期して伝送され、伝送制御装置は、操作端末器または制御端末器との間で監視データないし制御データを授受していない期間に伝送信号に同期させ設定操作端末器との間で関係データを授受し、伝送信号に同期して操作端末器から監視データの伝送開始が通知されると関係データの授受を中断して監視データを伝送させ、一連の監視データと制御データとの伝送後に中断していた関係データの授受を再開することを特徴とする遠隔監視制御システム。
【請求項２】
設定操作端末器は、文字および図形を表示可能な表示器と、表示器の画面に重ね合わされた透明なタッチパネルと、表示器の表示内容に関連付けられているタッチパネルの操作に応答して負荷を制御する操作モードとスイッチと負荷との対応関係を関係データとして設定する設定モードとを選択可能なスイッチ処理部とを器体内に備えることを特徴とする請求項１記載の遠隔監視制御システム。
【請求項３】
前記器体のうち少なくともタッチパネルの周囲に露出する化粧プレートは絶縁材料である合成樹脂成形品よりなることを特徴とする請求項２記載の遠隔監視制御システム。
【請求項４】
前記器体は、内部回路の収納部となる枠本体と、固定具を用いて施工面に固定される取付片とを一体に備えることを特徴とする請求項２記載の遠隔監視制御システム。
【請求項５】
表示器およびタッチパネルを収納する前面開口した前ボディと、表示器の表示領域を露出させる開口窓を有し前ボディの開口面側に結合される中プレートとを備え、前ボディの開口面の周部と中プレートの周部とは一方に設けた浮き上がり防止突片と他方に設けた引掛用切欠とが互いに係合することにより結合されていることを特徴とする請求項２記載の遠隔監視制御システム。
【請求項６】
中プレートの前面に設けた軸受部に軸着される軸ピンを有し表示器の表示内容に関連する情報を表記することができるネーム板が中プレートに対して開閉自在に取着され、中プレートとネーム板との一方には係止爪が形成され他方には係止爪に係合してネーム板を閉じた状態に保持する爪受溝が形成されていることを特徴とする請求項５記載の遠隔監視制御システム。
【請求項７】
ネーム板の一部にはネーム板が閉じているときに指を掛けることができる指掛部が形成されていることを特徴とする請求項６記載の遠隔監視制御システム。
【請求項８】
ネーム板の少なくとも一面には表示器の表示内容に関連する情報を表記したプレートを収納する取付凹所が形成されていることを特徴とする請求項６または請求項７記載の遠隔監視制御システム。
【請求項９】
外部電線を接続する端子ブロックが実装されたプリント基板を収納する本体ユニットを備え、端子ブロックは導入された外部電線を鎖錠ばねにより保持する速結端子であって、外部電線を外す際にプリント基板の厚み方向の力を作用させることによって鎖錠ばねを撓ませる解除釦を備え、本体ユニットの内部には端子ブロックに対応する部位でプリント基板に当接して解除釦に作用する力によるプリント基板の撓みを防止する支持リブが形成されていることを特徴とする請求項２記載の遠隔監視制御システム。
【請求項１０】
タッチパネルの表面には透明であって貼り替え可能な保護シートが積層されていることを特徴とする請求項２記載の遠隔監視制御システム。
【請求項１１】
表示器に表示される図形として負荷の種類や用途を表すシンボルを用いることを特徴とする請求項２記載の遠隔監視制御システム。
【発明の詳細な説明】
【０００１】
【発明の属する技術分野】
本発明は、複数の負荷を１回の操作で一括して制御することができる遠隔監視制御システムに関するものである。
【０００２】
【従来の技術】
従来より、図６３に示す構成の遠隔監視制御システムが提供されている。この遠隔監視制御システムでは、伝送制御装置３０に接続された２線式の信号線Ｌｓに複数台ずつの操作端末器３１および制御端末器３２が分岐接続（マルチドロップ接続）されている。各操作端末器３１および各制御端末器３２には、それぞれ個別のアドレスが設定され、伝送制御装置３０はそれらのアドレスを用いて操作端末器３１および制御端末器３２を個別に認識する。操作端末器３１はスイッチＳ０  を備え、制御端末器３２には負荷Ｌが接続される。また、操作端末器３１には負荷Ｌの動作状態を確認するための発光ダイオードよりなる確認灯（図示せず）が設けられている。
【０００３】
伝送制御装置３０は信号線Ｌｓに対して、図６４（ａ）に示すフォーマットの伝送信号Ｖｓを送出する。すなわち、信号送出開始を示す同期信号ＳＹ、伝送信号Ｖｓのモードを示すモードデータＭＤ、操作端末器３１や制御端末器３２を各別に呼び出すためのアドレスデータＡＤ、負荷Ｌを制御する制御データＣＤ、伝送誤りを検出するためのチェックサムデータＣＳ、操作端末器３１や制御端末器３２からの返送信号（監視データ）を受信するタイムスロットである信号返送期間ＷＴよりなる双極性（±２４Ｖ）の時分割多重信号であり、パルス幅変調によってデータが伝送されるようになっている（図６４（ｂ））。各操作端末器３１および各制御端末器３２では、信号線Ｌｓを介して受信した伝送信号Ｖｓにより伝送されたアドレスデータＡＤがあらかじめ設定されているアドレスに一致すると、伝送信号Ｖｓから制御データＣＤを取り込むとともに、伝送信号Ｖｓの信号返送期間ＷＴに監視データを電流モード信号（信号線Ｌｓを適当な低インピーダンスを介して短絡することにより送出される信号）として返送する。
【０００４】
伝送制御装置３０から所望の操作端末器３１や制御端末器３２にデータを伝送する場合には、モードデータＭＤを制御モードとし、操作端末器３１または制御端末器３２のアドレスをアドレスデータＡＤとする伝送信号Ｖｓを送出し、この伝送信号Ｖｓを信号線Ｌｓに送出すれば、アドレスデータＡＤに一致する操作端末器３１または制御端末器３２が制御データＣＤを受け取り、信号返送期間ＷＴに監視データを返送する。伝送制御装置３０では送出した制御データＣＤと信号返送期間ＷＴに受信した監視データとの関係によって制御データＣＤが所望の操作端末器３１または制御端末器３２に伝送されたことを確認する。制御端末器３２は受け取った制御データＣＤに従って負荷Ｌを制御するための負荷制御信号を出力し、操作端末器３１では受け取った制御データＣＤに従って負荷Ｌの動作確認表示を行なうための監視信号を出力する。
【０００５】
一方、伝送制御装置３０は常時はモードデータＭＤをダミーモードとした伝送信号Ｖｓを一定時間間隔で送出しており、操作端末器３１が伝送制御装置３０に対して何らかの情報を伝送しようとするときには、ダミーモードの伝送信号Ｖｓの同期信号ＳＹに同期させて図６４（ｃ）のような割込信号を発生させる。このとき、操作端末器３１は割込フラグを設定して伝送制御装置３０との以後の情報授受に備える。伝送制御装置３０では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した操作端末器３１では、割込ポーリングモードの伝送信号のアドレスデータＡＤの上位４ビットが操作端末器３１に設定されているアドレスの上位４ビットに一致するときに、信号返送期間ＷＴにアドレスの下位の半数のビットを伝送制御装置３０に返送する。このように、伝送制御装置３０は割込信号を発生した操作端末器３１を１６個ずつまとめて探すので、比較的短い時間で操作端末器３１を発見することができる。
【０００６】
伝送制御装置３０が割込信号を発生した操作端末器３１のアドレスを獲得すると、モードデータＭＤを監視モードとし、獲得したアドレスデータＡＤを持つ伝送信号を信号線Ｌｓに送出するのであって、この伝送信号に対して操作端末器３１は伝送しようとする情報を信号返送期間ＷＴに返送するのである。最後に、伝送制御装置３０は割込信号を発生した操作端末器３１に対して割込リセットを指示する信号を送出し、操作端末器３１の割込フラグを解除する。以上のようにして、操作端末器３１から伝送制御装置３０への情報伝送は、伝送制御装置３０から操作端末器３１への４回の信号伝送（ダミーモード、割込ポーリングモード、監視モード、割込リセット）によって完了する。伝送制御装置３０が所望の制御端末器３２の動作状態を知ろうとするときには、モードデータＭＤを監視データとした伝送信号を送出するだけでよい。
【０００７】
上述の動作を簡単にまとめる。まず、操作端末器３１に対してスイッチによる入力データが発生すると、入力データに対応した監視データを伝送制御装置３０に返送し、伝送制御装置３０が制御端末器３２に制御データＣＤを伝送すると、制御端末器３２は負荷制御信号を出力して負荷Ｌを制御する。ここで、制御端末器３２には負荷監視入力が与えられ、負荷監視入力に対応する監視データを伝送制御装置３０に返送し、返送された監視データを操作端末器３１に伝送する。この伝送信号によって操作端末器３１では監視信号を出力する。監視出力は通常は確認灯の点灯・消灯に用いられる。また、操作端末器３１は最大４回路のスイッチＳ０  を備え、制御端末器３２は最大４回路の負荷Ｌが制御可能であって、操作端末器３１および制御端末器３２には各スイッチＳ０  や負荷Ｌを個別に認識するために２ビットの負荷番号が付加されている。以下では、上述した操作端末器３１ないし制御端末器３２のアドレスをチャンネルと呼び、チャンネルと負荷番号とをまとめてアドレスと呼ぶことにする。つまり、各スイッチＳ０  や各負荷Ｌに個別のアドレスが付与されていることになる。
【０００８】
図示する遠隔監視制御システムでは、信号線Ｌｓに調光用制御端末器３３が接続されている。調光用制御端末器３３は負荷である照明負荷の光出力を制御するものであって、伝送信号Ｖｓにより照明負荷の光出力の増加または減少が指示されると光出力を時間経過に伴って変化させ別の伝送信号により停止が指示されると光出力の変化を停止するものである。調光用制御端末器３３は、調光用操作端末器３８と対応付けられており、調光用操作端末器３８には負荷Ｌの光出力の増加と減少とを指示する操作部が設けられ、操作部を押操作すると伝送信号によって調光用制御端末器３３では光出力を変化させる。また、操作部の操作を停止すると（つまり押操作を止めると）、別の伝送信号によって調光用制御端末器３３では光出力の変化を停止させる。調光用操作端末器３８には負荷Ｌのオンオフのための操作部も設けられ、この操作部の操作によって負荷Ｌを消灯させると、次に負荷Ｌを点灯させたときに前の光出力で負荷Ｌが点灯するようになっている。前の光出力は各調光用制御端末器３３が記憶している。
【０００９】
ところで、この種の遠隔監視制御システムでは、スイッチＳ０  と負荷Ｌとのアドレスの対応関係を伝送制御装置３０で管理しているから、伝送制御装置３０において１回路のスイッチＳ０  のアドレスに対して複数回路の負荷Ｌのアドレスを関係データとして対応付けておけば、１回路のスイッチＳ０  で複数回路の負荷Ｌを一括して制御することが可能である。このような一括制御にはグループ制御とパターン制御とがある。グループ制御では複数の負荷を同じ制御状態に制御し、パターン制御では複数の負荷をあらかじめ設定した制御状態に制御する。グループ制御やパターン制御を行なう一括制御用操作端末器３９は一括制御として定められている操作用アドレスを用いるが、他の構成は他の操作端末器と同様のものである。図示例では調光用操作端末器３８と同じ形式の一括制御用操作端末器３９を設けており、一括制御用操作端末器３９により複数の負荷Ｌを一斉に調光することが可能になっている。
【００１０】
上述のように、パターン制御を行なうためには伝送制御装置３０において一括制御用操作端末器３９のスイッチのアドレスに複数回路の負荷Ｌのアドレスを対応付けて登録しておく必要があり、この種の設定操作をパターン設定と称している。以下では、操作端末器３１に設けたパターン制御用のスイッチをパターンスイッチと呼び、操作端末器３１に設けた個別制御用のスイッチを個別スイッチＳ０  と呼ぶ。また、グループ制御を行なう設定操作をグループ設定と呼ぶ。
【００１１】
遠隔監視制御システムは、図６５に示すように、負荷Ｌを制御する制御モードと、パターン設定やグループ設定を行なう設定モードとの２つの動作モードを有している。つまり、遠隔監視制御システムを動作させると、伝送制御装置３０は、まず通常の制御モードになり（Ｓ１）、ダミーモードの伝送信号を信号線Ｌｓに送出する。割込信号がなければ（Ｓ２）、そのままダミーモードによる伝送信号を繰り返して発生する（Ｓ３）。一方、ステップＳ２において割込信号があると（Ｓ２）、操作端末器３１を特定して操作端末器３１からの要求を取り込む（Ｓ４）。ここで、動作モードの変更が要求されていなければ（Ｓ５）、現状の動作モードを判別し（Ｓ６）、制御モードであれば負荷Ｌを制御し（Ｓ７）、設定モードであればパターン設定ないしグループ設定を行なう（Ｓ８）。また、ステップＳ５において動作モードの変更が要求されているときには、要求内容に応じて動作モードを変更する（Ｓ９）。
【００１２】
設定モードでパターン設定を行なうには、所望のパターンスイッチを操作し、次に、そのパターンスイッチによる制御対象となる負荷Ｌに対応付けられている個別スイッチＳ０  を操作する。ここに、各個別スイッチＳ０  と負荷Ｌとの関係は先に設定されていることが前提である。このような手順により個別スイッチＳ０  の操作に応じた負荷Ｌの状態が伝送制御装置３０に関係データとして取り込まれ、１個のパターンスイッチに複数の負荷Ｌの状態が対応付けられるのである。
【００１３】
【発明が解決しようとする課題】
上述のように設定モードでは個別スイッチＳ０  を用いてパターン制御における負荷Ｌを選択するから、パターン設定を行なっている間には個別スイッチＳ０  での負荷Ｌの制御はできなくなる。しかも、個別スイッチＳ０  は一般に離れて配置されているから、パターン設定には手間がかかり比較的長時間にわたって負荷Ｌの制御ができなくなるという問題がある。
【００１４】
本発明は上記事由に鑑みて為されたものであり、その目的は、負荷の制御が可能な状態でパターン設定やグループ設定を行なうことができる遠隔監視制御システムを提供することにある。
【００１５】
【課題を解決するための手段】
請求項１の発明は、スイッチを備えスイッチごとに固有のアドレスが設定される操作端末器と、負荷が接続され負荷ごとに固有のアドレスが設定される制御端末器と、操作端末器および制御端末器を分岐接続した信号線に接続されスイッチが操作されたときに操作端末器から受け取る監視データに基づいて負荷を制御する制御データを生成するとともに操作されたスイッチとの対応関係が設定されている負荷を接続した制御端末器に対して制御データを伝送する伝送制御装置と、信号線に接続され１つのスイッチの操作によって複数の負荷を一括して制御するように関係データを生成し関係データを伝送制御装置に転送し設定させる設定操作端末器とを備え、監視データおよび制御データは伝送制御装置が所定の時間間隔で送出している伝送信号に同期して伝送され、伝送制御装置は、操作端末器または制御端末器との間で監視データないし制御データを授受していない期間に伝送信号に同期させ設定操作端末器との間で関係データを授受し、伝送信号に同期して操作端末器から監視データの伝送開始が通知されると関係データの授受を中断して監視データを伝送させ、一連の監視データと制御データとの伝送後に中断していた関係データの授受を再開するものである。
【００１６】
請求項２の発明は、請求項１の発明において、設定操作端末器が、文字および図形を表示可能な表示器と、表示器の画面に重ね合わされた透明なタッチパネルと、表示器の表示内容に関連付けられているタッチパネルの操作に応答して負荷を制御する操作モードとスイッチと負荷との対応関係を関係データとして設定する設定モードとを選択可能なスイッチ処理部とを器体内に備えるものである。
【００１７】
請求項３の発明は、請求項２の発明において、前記器体のうち少なくともタッチパネルの周囲に露出する化粧プレートが絶縁材料である合成樹脂成形品よりなるものである。
請求項４の発明は、請求項２の発明において、前記器体が、内部回路の収納部となる枠本体と、固定具を用いて施工面に固定される取付片とを一体に備えるものである。
【００１８】
請求項５の発明は、請求項２の発明において、表示器およびタッチパネルを収納する前面開口した前ボディと、表示器の表示領域を露出させる開口窓を有し前ボディの開口面側に結合される中プレートとを備え、前ボディの開口面の周部と中プレートの周部とは一方に設けた浮き上がり防止突片と他方に設けた引掛用切欠とが互いに係合することにより結合されているものである。
【００１９】
請求項６の発明は、請求項５の発明において、中プレートの前面に設けた軸受部に軸着される軸ピンを有し表示器の表示内容に関連する情報を表記することができるネーム板が中プレートに対して開閉自在に取着され、中プレートとネーム板との一方には係止爪が形成され他方には係止爪に係合してネーム板を閉じた状態に保持する爪受溝が形成されているものである。
【００２０】
請求項７の発明は、請求項６の発明において、ネーム板の一部にネーム板が閉じているときに指を掛けることができる指掛部が形成されているものである。
請求項８の発明は、請求項６または請求項７の発明において、ネーム板の少なくとも一面に表示器の表示内容に関連する情報を表記したプレートを収納する取付凹所が形成されているものである。
【００２１】
請求項９の発明は、請求項２の発明において、外部電線を接続する端子ブロックが実装されたプリント基板を収納する本体ユニットを備え、端子ブロックは導入された外部電線を鎖錠ばねにより保持する速結端子であって、外部電線を外す際にプリント基板の厚み方向の力を作用させることによって鎖錠ばねを撓ませる解除釦を備え、本体ユニットの内部には端子ブロックに対応する部位でプリント基板に当接して解除釦に作用する力によるプリント基板の撓みを防止する支持リブが形成されているものである。
【００２２】
請求項１０の発明は、請求項２の発明において、タッチパネルの表面には透明であって貼り替え可能な保護シートが積層されているものである。
請求項１１の発明は、請求項２の発明において、表示器に表示される図形として負荷の種類や用途を表すシンボルを用いるものである。
【００２３】
【発明の実施の形態】
本実施形態は、信号線にパターン設定やグループ設定を行なう専用の設定操作端末器を接続し、設定操作端末器で設定した関係データを伝送制御装置に信号線Ｌｓを介して転送するようにし、しかも、負荷の制御が可能な状態において伝送制御装置にパターン設定やグループ設定の内容を転送することができるようにするためのデータ転送手順を特徴としている。つまり、パターン設定やグループ設定の内容を示す関係データを負荷を制御する際の空き時間に行なうことにより、動作モードの切換を不要にしているのである。
【００２４】
まず、本実施形態の特徴である手順について説明する。関係データは図１、図２に示す手順で転送される。この手順は、関係データの転送を開始する前処理、実際に関係データを転送する転送処理、関係データの転送を終了する後処理の３つの処理に分けることができる。
伝送制御装置３０は動作を開始すると、まず、関係データの転送を行なっていないことを示すために転送状態を転送なしに設定する（Ｓ１）。つまり、従来構成において負荷Ｌを制御する動作モードと同様の状態になり、ダミーモードの伝送信号を信号線Ｌｓに繰り返し送出することになる。割込信号が発生しなければ（Ｓ２）、データ転送中か否かを判断し（Ｓ３）、データ転送中でなければそのままダミーモードによる伝送信号を繰り返して発生する（Ｓ４）。
【００２５】
一方、前処理では、関係データを伝送制御装置３０に転送しようとする端末器が割込信号を発生するから、ステップＳ２において割込信号が検出される。割込信号が検出されると、端末器を特定して割込要求を判別する（Ｓ５）。この処理は負荷Ｌを制御する場合と同様である。関係データを転送する際には、伝送制御装置３０に対して設定操作端末器からデータ転送要求があるから（Ｓ６）、関係データの転送中であることを示すために転送状態を転送ありに設定する（Ｓ７）。なお、ステップＳ６においてデータ転送要求がなければ、通常の負荷Ｌの制御を意味するから要求に応じて負荷Ｌを制御する（Ｓ８）。
【００２６】
伝送制御装置３０と設定操作端末器との間の信号の授受は、具体的には図２に示すように行なわれる。すなわち、設定操作端末器が割込信号を発生し（Ｒ１  ）、これに対して伝送制御装置３０は割込フラグを設定して割込ポーリングを行ない（Ｔ１  ）、設定操作端末器からアドレスの返信を待つ（Ｒ２  ）。伝送制御装置３０は設定操作端末器のアドレスを獲得すると設定操作端末器からの要求内容を監視する（Ｔ２  ）。設定操作端末器では伝送制御装置３０からの要求内容の監視に対して関係データの受信を要求し（Ｒ３  ）、要求内容を受け取った伝送制御装置３０は割込フラグを解除する（Ｔ３  ）。また、伝送制御装置３０では、関係データを授受するために関係データを格納する２５６バイトのアドレス領域を確保する。なお、２５６バイトを１ベージと呼んで単位化しており、アドレス領域の１ページを確保することになる。こうして１ページのアドレス領域を確保すると、関係データの登録のためのアドレス領域を設定操作端末器に通知し（Ｔ４  ）、関係データの送信開始を指示する（Ｔ５  ）。送信を指示した後には設定操作端末器からの関係データの転送状態を監視し（Ｔ６  ）、設定操作端末器において関係データの転送が可能である（つまり、転送ありである）旨の通知が返送されると（Ｒ４  ）、転送処理に移行する。
【００２７】
転送処理では、伝送制御装置３０に設定操作端末器からの関係データが転送される（Ｓ９）。ここで、通常が１回で伝送できない程度の量であれば一部だけが転送され、関係データの転送が終了していなければ（Ｓ１０）、端末器から割込信号が再び発生し、上述の処理を繰り返して関係データの転送を行なう。
具体的には、伝送制御装置３０は設定操作端末器から何バイトのデータが送信されてくるのかを監視し（Ｔ７  ）、バイトカウンタを返信させる（Ｒ５  ）。その後、関係データの監視を行ない（Ｔ８１）、設定操作端末器からバイトカウンタで指定されたバイト数の関係データを転送させる（Ｒ６１）。ここで、関係データは一度で全部を転送するのではなく複数に分割され、バイトカウンタで指定されたバイト数の関係データの転送が終了するまで、設定操作端末器から伝送制御装置３０への転送が繰り返される（Ｔ８１〜Ｔ８ｎ，Ｒ５１〜Ｒ５ｎ）。最後に、伝送制御装置３０から設定操作端末器に対して関係データのチェックサムを要求し（Ｔ９  ）、チェックサムが返信されると（Ｒ６  ）、伝送誤りの有無を検出する。なお、関係データは、パターン制御の種類を区別するパターン番号、制御対象となる負荷Ｌのアドレスおよび制御内容を含むものである。このようにして設定操作端末器から伝送制御装置３０に対して分割して転送された関係データの内容に従って、伝送制御装置３０ではパターン制御やグループ制御のテーブルを設定するのである。
【００２８】
後処理は、転送状態を転送なしに設定する処理であって（Ｓ１１）、伝送制御装置３０では関係データの設定が完了した後に、端末器の転送状態を監視し（Ｔ１０）、転送が完了したことを確認する（Ｒ７  ）。その後、データ送信終了指示を送出して（Ｔ１１）、関係データの転送に関するすべての処理が完了したことを設定操作端末器に通知する。
【００２９】
上述のような手順によって、負荷Ｌの制御が可能な状態において負荷Ｌへの制御データを生成していない空き時間に、パターン制御やグループ制御のための関係データを設定操作端末器から伝送制御装置３０に転送することができるのである。つまり、制御モードと設定モードとの切換が不要になるのである。
上述したように本実施形態では、関係データを分割し、設定操作端末器から伝送制御装置３０に複数回で関係データを転送している。これは、１回で同じ容量の関係データを転送すると転送処理の時間が長くなり、負荷Ｌを通常に制御できない期間が生じる可能性があるからであって、上述のように負荷Ｌの制御のために用いられていない空き時間を利用するように関係データを分割して転送することにより、負荷Ｌを制御できない期間を生じることなく関係データを転送することができる。また、関係データを分割して転送するために、伝送制御装置３０では、転送状態に関するデータを保持するのであって、転送ありか転送なしかによって、未転送の関係データが残っているか否かを認識することができるのである。その結果、転送状態が転送ありである期間に、負荷Ｌの制御が要求されたときには、負荷Ｌの制御を関係データの転送に優先して処理し、負荷Ｌの制御を処理した後に、再び関係データの転送を継続することで、負荷Ｌの制御を妨げることなく関係データを転送することができるのである。
【００３０】
なお、設定操作端末器と伝送制御装置３０との間で転送されるデータのフォーマトは図３のようなものであって、上述した１ページのアドレス領域にこの形のデータが下位側から順次格納されるようになっている。つまり、このデータはバイトカウンタＢＣ、データの識別用のヘッダＨＤ、端末器間でデータを伝送する際の送信先アドレスＳＡ、端末器間でデータを伝送する際の送信元アドレスＤＡ、転送データＤＴ１  〜ＤＴｎ  、チェックサムＳＵＭよりなる。ただし、上述のような関係データを伝送する際には、バイナリカウンタＢＣと転送データＤＴ１  〜ＤＴｎ  とチェックサムＳＵＭとだけが用いられる。
【００３１】
以下では設定操作端末器の構成を具体的に説明する。なお、従来の技術として説明したように、同一チャンネルでは負荷番号の指定により４つの負荷Ｌが制御可能となっているから、以下では必要に応じてアドレスを「チャンネル−負荷番号」の形で表記する。たとえば、「０−１」という表記は「０」チャンネルの「１」番目の負荷Ｌという意味である。このようにして設定されるチャンネルと負荷番号との１つの組み合わせに対して、それぞれ操作端末器と制御端末器とを対応付けることができるのである。
【００３２】
また、以下で説明する設定操作端末器はパターン設定やグループ設定を行なうだけではなく、各種の負荷Ｌの制御を指示する機能も備えている。負荷Ｌとしては、白熱灯、インバータ式の点灯装置を有した蛍光灯、空調機のファンコイル、換気扇、スピーカなどを用いることができ、当然ながら、制御端末器３２も負荷Ｌに対応するように構成される。たとえば、白熱灯や蛍光灯では点灯・消灯の指示だけではなく、必要に応じて調光を可能とする制御端末器３２を用いることができる。また、ファンコイルや換気扇は強中弱の３段階に制御可能であり、スピーカは音量が制御可能になる。その他の負荷Ｌとして電動カーテン、電動スクリーンなども用いることが可能である。
【００３３】
設定操作端末器は、図４に示すように、液晶表示器よりなる表示器にバックライトを一体化した液晶部１１と、液晶部１１の画面に重ねて配置された透明なタッチパネル１２とを備える。液晶部１１には多数個の画素を縦横にマトリクス状に配列したマトリクス表示型のものを用い、画素の組み合わせによって図形を表示するようになっている。タッチパネル１２は、透明なシート状部材に透明電極よりなる接点部を多数個配列し、シート状部材に指などを触れるとどの部位に触れたかを出力する抵抗感圧方式のものである。
【００３４】
基本的な構成は従来の制御端末器２と同様であって、伝送制御装置３０に接続された信号線Ｌｓに接続され伝送信号を授受するための送受信回路２１を備え、送受信回路２１は伝送処理部とスイッチ処理部とに兼用されるメインマイコン２０に接続される。メインマイコン２０はフラッシュメモリ２２に書き込まれたプログラムおよびデータに従って動作する。フラッシュメモリ２２の少なくとも一部には端末器としてのアドレスや端末器の機能を決定するための機能データが書き込まる。さらに、フラッシュメモリ２２には各種メッセージやシンボルなどシステム側で用意しているデータも格納される。
【００３５】
メインマイコン２０は、液晶部１１の表示内容を指示するデータをラッチ回路２３を通して液晶コントローラ２４に引き渡す。液晶コントローラ２４はＤＲＡＭ２５にあらかじめ登録してあるデータを用いて液晶部１１の所定位置に所定内容を表示する。ＤＲＡＭ２５の内容は後述するようにユーザが設定可能であって、メインマイコン２０を設定モードとしてタッチパネル１２を用いて設定した内容をＤＲＡＭ２５に蓄積し、メインマイコン２０を操作モードとしてタッチパネル１２を操作するとＤＲＡＭ２５に蓄積されているデータを用いて液晶部１１の表示内容が設定される。液晶部１１のコントラストやバックライトの明るさは、メインマイコン２０がコントラスト調整部２６やバックライト用インバータ回路２７を制御することによって自動的に調節される。さらに、メインマイコン２０にはブザー２８が接続され、タッチパネル１２の所定領域に触れた場合や誤操作の場合にはブザー２８を鳴動させて入力を受け付けたことや誤操作があったことを音で報知する。ここに、入力の受付と誤操作とは異なる音に設定しておくのが望ましい。
【００３６】
設定操作端末器は、液晶部１１にバックライトを備えるなど、比較的大きい電力を必要とするから、内部電源を信号線Ｌｓから得るのではなく、別途に給電される交流２４Ｖを電源回路２９で整流し電圧安定化することによって内部電源を得ている。電源回路２９に供給される交流２４Ｖは、伝送制御装置３０とともに分電盤内などに配置されるリモコントランスから得られる。リモコントランスは、リモコンリレー（伝送信号によらずに別に設けたスイッチによってオンオフが可能なリレー）を用いる場合にリモコンリレーに給電するために従来より設けられているものである。このリモコントランスから出力される交流２４Ｖを設定操作端末器に供給することで、設定操作端末器には交流１００Ｖなどの商用電源から内部電源を得る必要がなく、電源トランスや大型の平滑コンデンサが不要になる。内部電源としては、５Ｖ、１２Ｖ、２０Ｖなどの電圧を用いるが、２４Ｖからの降圧であるから必要個数の電圧安定化回路を設ける程度の簡単な構成で目的の電圧を得ることができる。
【００３７】
このように、設定操作端末器に対して低電圧の交流電源を供給することによって、小勢力線である信号線Ｌｓに対して電源線を分離するための絶縁分離用のセパレータなどが不要になる。つまり、設定操作端末器のケースをスイッチボックスのような埋込ボックスを用いて埋込型として壁面などに配置している場合であって埋込ボックス内に商用電源と信号線のような小勢力線とが混在するときには、安全性の確保のために埋込ボックス内にセパレータを配置することが義務付けられているが、電源線が交流２４Ｖを供給するものであり、かつ信号線Ｌｓは双極性の２４Ｖの伝送信号を伝送するものであるから、電源線と信号線Ｌｓとが混在していてもセパレータが不要になるのである。また、設定操作端末器での降圧量が少ないから、発熱量も減少することになる。しかも、降圧トランスが不要であるから小型化かつ軽量化が可能である。
【００３８】
ところで、上述した設定操作端末器は、図５ないし図１２に示すような構造を有する。すなわち、設定操作端末器の器体は、液晶部１１およびタッチパネル１２を備える操作表示ユニット２と、その他の回路部分を収納する本体ユニット３とを着脱自在に結合して構成される。
操作表示ユニット２は、前面（図５の上面）が開口した前ボディ４１と、前ボディ４１の内底面に立設されたボス４１ａに載置されるパネル状の液晶部１１と、液晶部１１の前面側に積層されるシート状のタッチパネル１２とを備える。タッチパネル１２の前面側には矩形枠状の中プレート４２が重ね合わされ、液晶部１１の表示領域は中プレート４２の開口窓４２ａを通して前面側に露出する。さらに、中プレート４２の前面には矩形枠状の化粧プレート４３が積層される。前ボディ４１、中プレート４２、化粧プレート４３は絶縁材料である合成樹脂の成形品であって、人が触れようとするときに静電気の放電が生じないようにしてある。したがって、静電気の放電で内部回路が破壊されるという事故を防止することができる。また、タッチパネル１２は指など押す（ないし触れる）ことによって操作されるものであるから、貼り替え可能な透明な保護シートをタッチパネル１２の表面に積層してある。このような保護シートによって指跡が付きにくくなり、また指跡が付いたり埃などによって汚れたときには保護シートを貼り替えることによってメンテナンスを容易にすることができる。
【００３９】
前ボディ４１と中プレート４２とは、前ボディ４１の後面側からボス４１ａを通して挿入される皿小ねじ４４を中プレート４２に螺合させることによって結合される。また、前ボディ４１の周壁前縁には、図１３に示すように、６個の浮き上がり防止突片４１ｂが突設される。浮き上がり防止突片４１ｂは先端部が広幅となる形状に形成され、中プレート４２の周部に形成した引掛用切欠４２ｂに係合する。このように浮き上がり防止突片４１ｂと引掛用切欠４２ｂとが係合することにより、前ボディ４１からの中プレート４２の浮き上がりが防止され、中プレート４２の反りなどによって前ボディ４１と中プレート４２との間に隙間ができるのを防止することができる。浮き上がり防止突片４１ｂおよび引掛用切欠４２ｂの位置は非対称となるように配置され、前ボディ４１と中プレート４２との組ａ違いを防止してある。
【００４０】
また、化粧プレート４３は、図６に破線で示すように、シート状ないしテープ状の両面接合材９を用いて中プレート４２の前面に貼着される。液晶部１１およびタッチパネル１２は前ボディ４１と中プレート４２との間に挟持されるのであって、液晶部１１およびタッチパネル１２は皿小ねじ４４の通る位置決め部１１ｂ，１２ｂを非対称な位置に設けることによって、組違いを防止してある。
【００４１】
ここに、中プレート４２の下部には下端縁に沿う方向に突出した軸ピン４９ａを有するネーム板４９が取り付けられ、このネーム板４９は、図６および図８に示すように、中プレート４２の下部に設けた第１の記入部４９ｂに対向する位置と、第１の記入部４９ｂを開放する位置との間で開閉自在になるように軸ピン４９ａによって中プレート４２に軸支される。また、ネーム板４９において第１の記入部４９ｂとの対向面は第２の記入部４９ｃとなり、ネーム板４９における他面は第３の記入部４９ｄとなる。第１ないし第３の記入部４９ｂ〜４９ｄには負荷の関連情報を表記することができるようになっている。第１ないし第３の記入部４９ｂ〜４９ｄの表記内容は操作対象となる負荷の種類や用途などを示す文字（リビング、寝室、風呂など）が一般的であるが、常時は表面側となっている第３の記入部４９ｃには基本的に負荷の使用状況を示すシーン名（食事、就寝など）が表記される。また、中プレート４２の下部右端部には図８のように設定スイッチＳＷの操作部が設けられる。設定スイッチＳＷの操作部はネーム板４９を閉じることによって覆われる。
【００４２】
図１４ないし図１８に示すように、軸ピン４９ａはネーム板４９の両側面の一端部に突設され、ネーム板４９の他端縁には保持突片４９ｅが裏面側（第２の記入部４９ｃを設けた側）に突出し、保持突片４９ｅの長手方向の両端部には軸ピン４９ａ側の一面に係止爪４９ｆが突設される。保持突片４９ｅの両側部には指を掛けることができるように切欠が形成され、この切欠が指掛部４９ｊとして機能する。また、ネーム板４９の長手方向の一端部（図１４における右端部）には表裏に貫通する貫通孔４９ｇが形成されている。さらに、第３の記入部４９ｄとなるネーム板４９の一面にはシーン名などを記入したプレート（図示せず）を取り付けやすいように、ほぼ全面に亙って取付凹所４９ｈが形成される。取付凹所４９ｈの周壁の適所には保持孔４９ｉが形成されており、プレートの上に被せるように透明な合成樹脂により形成したプレートカバー（図示せず）の周縁に突設した爪が挿入されるようになっている。したがって、プレートカバーはネーム板４９に保持され、プレートカバーとネーム板４９との間にプレートが保持される。
【００４３】
図１９ないし図２２に示すように、中プレート４２の前面下部には、ネーム板４９に設けた軸ピン４９ａを軸支する一対の軸受部４２ｄが突設される。また、軸受部４２ｄよりも上方にはネーム板４９に設けた係止爪４９ｆが係止される爪受溝４２ｆが形成されている。したがって、ネーム板４９を閉じた状態では係止爪４９ｆが爪受溝４２ｆに係止されることによって、ネーム板４９が安易に開かないようにしてある。一方、ネーム板４９には指掛部４９ｊが形成されているから、ネーム板４９を閉じた状態で指掛部４９ｊに指を引掛けてネーム板４９を開くようにすれば、別途に道具を用いることなくネーム板４９を開くことができるのである。このように、ネーム板４９を閉じた状態に保持して安易に開かないようにしながらも道具を用いることなる指で開くことができるのである。
前ボディ４１の内底面には回路収納凹所４１ｃが形成され、バックライト用インバータ回路２７を実装したプリント基板４５ａと、本体ユニット３に接続するための電線であるフラットケーブル４に液晶部１１やタッチパネル１２を接続するためのコネクタ４６ａ，４６ｂを有したプリント基板４５ｂとが収納される。フラットケーブル４は、前ボディ４１の回路収納凹所４１ｃの底面に形成した開口部４１ｄを通して前ボディ４１の後面側に引き出される。プリント基板４５ａ，４５ｂは前ボディ４１の内底面に形成されたボス４１ｅを通して挿入されるナイロンリベット４７により前ボディ４１に固定される。液晶部１１のバックライト用のケーブル１１ｃはプリント基板４５ａに設けたコネクタ４６ｃに接続され、プリント基板４５ａに設けた他方のコネクタ４６ｄにはプリント基板４５ｂからのケーブル１１ｄが接続される。また、液晶部１１の液晶表示器はプリント基板４５ｂに設けたコネクタ４６ａとの間で図１１に示すケーブル４８を介して接続される。このケーブル４８の両端にはコネクタ４８ａが設けられ、液晶部１１とコネクタ４６ａとに対して着脱自在になっている。また、ケーブル４８の中間部は円環状のフェライトコア４８ｂに巻き付けられ、ノイズの通過が低減されている。さらに、タッチパネル１２はテープ電線（フレキシブル基板）１２ａを有し、テープ電線１２ａの先端部がプリント基板４５ｂのコネクタ４６ｂに接続される。
【００４４】
前ボディ４１の底壁であって回路収納凹所４１ｃよりも上方には、係合凹所として機能する左右２個の係合窓４１ｆが形成されている。各係合窓４１ｆの上縁両端部には、図１０に示すように、係合窓４１ｆ内に突出する脱落防止片５ａが設けられている。また、前ボディ４１において回路収納凹所４１ｃよりも下方の後面には左右３箇所（つまり、左右両端部と中間部）に引掛片４１ｇが突設される。引掛片４１ｇの先端部には上向きのフックが形成されている。
【００４５】
本体ユニット３は、図５に示すように、前面開放された枠本体５１ａの前端部の上下にそれぞれ取付片５１ｂ，５１ｃを連続一体に突設した形状の取付枠５１と、枠本体５１ａの後面に結合される後ボディ５２とを備え、枠本体５１ａと後ボディ５２との間に形成される空間に回路部を実装した２枚のプリント基板５３ａ，５３ｂが収納される。ここに、プリント基板５３ａには図４における送受信回路２１および電源回路２９が実装され、プリント基板５３ｂには図４において送受信回路２１と電源回路２９と操作表示ユニット２の回路部とを除く回路部分が実装される。また、両プリント基板５３ａ，５３ｂはテープ電線５３ｃを用いて互いに接続されている。
【００４６】
プリント基板５３ａは信号線Ｌｓやリモコントランスに接続されるから、外部電線を接続するための端子を有しており、この端子には速結端子構造を有した端子ブロック５４が用いられる。ここに、端子ブロック５４は、端子板および端子板の一部に対向する鎖錠ばね（板ばねを屈曲させたもの）をケース内に備え、ケースに設けた電線挿入口を通して挿入される電線を鎖錠ばねのばね力により端子板との間に挟持するものである。また、外部電線を保持した状態では鎖錠ばねの端縁が外部電線に食い込むことによって外部電線を抜け止めしているが、ケース内に設けた解除釦を操作することで、鎖錠ばねを外部電線から引き離すと外部電線を引き抜くことができるように構成されている。この種の速結端子構造は周知のものであって、端子板、鎖錠ばね、解除釦をケースに所要個数（ここでは４線接続用のものを用いている）収納することにより１部品として扱うことができるようにしてある。このような端子ブロック５４を２個設けてそれぞれ信号用と電源用とに用いてある。端子ブロック５４は後ボディ５２の後壁の左右上端部に設けた露出窓５２ａに臨んで配置され、後ボディ５２の後面側から外部電線が接続されるようになっている。
【００４７】
端子ブロック５４に接続された外部電線を外すには解除釦を前方に押し込みながら外部電線を引き抜くことになる。ここで、端子ブロック５４はプリント基板５３ａに実装されているから、解除釦を押し込む力でプリント基板５３ａが撓むと、解除釦に十分な力が作用せず鎖錠ばねが端子板から十分に離れないから外部電線が引き抜きにくくなる。また、場合によってはプリント基板５３ａが割れることも考えられる。そこで、本実施形態では、図２３に示すように、取付枠５１において端子ブロック５４に対応する部位にプリント基板５３ａを支持する支持リブ５１ｇを突設してある。このような支持リブ５１ｇを設けたことによって、解除釦を強く押し込んでもプリント基板５３ａが撓むことがなく、外部電線を容易に引き抜くことができる。なお、プリント基板５３ａは、後ボディ５２の内底面に突設したボス５２ｂを通して後ボディ５２の後面側から挿入されるナイロンリベット５５を用いて後ボディ５２に固定される。
【００４８】
一方、プリント基板５３ｂの前面にはフラットケーブル４の一端部に設けたコネクタ４ａに着脱自在に結合されるコネクタ４ｂが実装されている。このプリント基板５３ｂはタッピングねじ５６により取付枠５１に結合される。また、図８に示すように、コネクタ４ａ，４ｂの接続部位には前面側に覆い板５７が覆着される。覆い板５７はタッピングねじ５７ａを用いて取付枠５１に固定される。音響出力手段としてのブザー２８は図１２に示すように、取付枠５１の後面に突設した一対の爪５１ｄにより取付枠５１に保持される。取付枠５１の底壁においてブザー２８に対応する部位には、ブザー２８の鳴動音を前方に送出するための多数の小孔５１ｅが形成されている。
【００４９】
上述のようにしてプリント基板５３ａ、５３ｂをそれぞれ保持した取付枠５１と後ボディ５２とは、後ボディ５２の前面側に突設した結合爪５２ｃを取付枠５１の周部に設けた結合孔５１ｆに係合させるとともに、図７のように、後ボディ５２を通して取付枠５１に螺合するタッピングねじ５８を用いて結合される。
ところで、各取付片５１ｂ，５１ｃにはボックス取付孔５９ａと、枢支孔５９ｂと、直付け孔５９ｃとの３種類の孔が形成されている。ボックス取付孔５９ａは配線器具の施工に用いるスイッチボックスに螺合するボックスねじを挿通することができる孔であって、コンクリート壁のようにスイッチボックスを壁に埋め込んで施工する場合には、ボックス取付孔５９ａを用いて取付枠５１を壁に固定することになる。また、枢支孔５９は挟み金具と称する部材の一端部を引っかけて枢支するものであり、取付片５１ｂ，５１ｃを通して挿入される引締めねじを挟み金具に螺合させ、その螺合量を変化させることによって挟み金具の他端部と取付片５１ｂ，５１ｃとの距離が変化するようにしてある。つまり、パネル状の壁に取り付けるときには、壁に固定用の孔を形成し、壁の前面側に取付片５１ｂ，５１ｃを当接させるとともに壁の後面側に挟み金具を当接させ、引締めねじを締め付けると、取付片５１ｂ，５１ｃと挟み金具との間に壁が挟持されることによって、取付枠５１を壁に固定することができるものである。さらに、直付け孔５９ｃは木製の壁のように木ねじを螺合させることができる壁の場合に、直付け孔５９ｃを通して木ねじを壁に螺合させることによって取付枠５１を壁に固定するものである。
【００５０】
上述したように、後ボディ５２との間にプリント基板５３ａ，５３ｂを収納する枠本体５１ａと、壁面等に固定するための取付片５１ｂ，５１ｃとを連続一体に形成しているものであるから、壁面等に施工するための別途の取付具を必要とせず、部品点数の削減になるものである。
ここにおいて、取付片５１ｂ，５１ｃにおけるボックス取付孔５９ａのピッチはＪＩＳ規格に規定されている大角連用形の配線器具に用いる取付枠を３個並設した３連用の取付枠と同じ寸法に設定されている。また、本体ユニット３は、３個モジュールの配線器具を３個並設した３連モジュール寸法に相当する寸法を有している。したがって、配線器具用の施工部材を流用して施工することができるのであって、専用の施工部材を新たに製造する必要がなく、また施工方法の教育もほとんど不要である。
【００５１】
上側の取付片５１ｂの上縁部の４箇所には操作表示ユニット２に設けた脱落防止片５ａに対応する部位で後面を凹没させた形状の係止部６が形成されている。しかして、操作表示ユニット２に設けた係合窓４１ｆに取付片５１ｂを挿入して係止部６の後面に脱落防止片５ａを当接させるようにすれば、取付片５１ｂの上面が操作表示ユニット２の内側面に当接して操作表示ユニット２の下方への移動を禁止するとともに、脱落防止片５ａが係止部６に係合して操作表示ユニット２の前方への移動も禁止されることになる。つまり、壁に固定した本体ユニット３に操作表示ユニット２を結合することができる。
【００５２】
さらに、取付片５１ｃの左右方向の中間部には引掛部としての引掛孔７ａが形成され、取付片５１ｃの左右両端部には引掛部としての引掛切欠７ｂが形成されている。引掛孔７ａおよび引掛切欠７ｂには、それぞれ操作表示ユニット２に設けた引掛片４１ｇが係止され、操作表示ユニット２の本体ユニット３に対する結合強度を大きくしてある。このように、本体ユニット３と操作表示ユニット２とを上下７箇所で結合してあり、上部の結合箇所のみでも操作表示ユニット２が本体ユニット３から脱落しないようにしてあるから、操作表示ユニット２を本体ユニット３から外す際に、下部の結合箇所を外しても操作表示ユニット２が脱落することがないのである。
【００５３】
ところで、操作表示ユニット２と本体ユニット３との間には、図９に示すように、輪状となった左右２本の落下防止紐８が掛け回されている。操作表示ユニット２にはフック状の掛止め部２ａが形成され、本体ユニット３には環状の挿通部３ａが形成されており、挿通部３ａに挿通されている落下防止紐８を掛止め部２ａに引っかけることによって落下防止紐８が操作表示ユニット２と本体ユニット３とを結ぶようになっている。したがって、掛止め部２ａから落下防止紐８を外せば操作表示ユニット２を本体ユニット３から外すことができる。また、落下防止紐８はフラットケーブル４よりも短く形成され、落下防止紐８が取り付けられている状態で操作表示ユニット２を本体ユニット３から外したときに、フラットケーブル４が伸びきらないようにしてある。つまり、フラットケーブル４に張力が作用するのを防止し、ひいてはコネクタ４ａ，４ｂなどの破損を防止することができる。
【００５４】
一方、本体ユニット３の取付枠５１の前面には、操作表示ユニット２を本体ユニット３に結合したときにフラットケーブル４の一部を収納するための逃がし凹所３ｂが形成され、この逃がし凹所３ｂにフラットケーブル４を収納することによって、操作表示ユニット２が本体ユニット３から浮き上がらないようにしてある。
【００５５】
ところで、設定操作端末器を用いた遠隔監視制御システムは、上述のように、白熱灯，蛍光灯、ファンコイル、スピーカなどの各種の負荷Ｌを含み、負荷Ｌのオンオフだけではなく、白熱灯や蛍光灯では調光を可能とし、ファンコイルやスピーカでは出力の調節が可能になっている。これらの制御には操作側において操作部と表示部とが必要であり、設定操作端末器においては、液晶部１１を表示部とし、液晶部１１に表示される図形ないし文字とタッチパネル１２との組み合わせにより操作部を構成している。
【００５６】
ここで、すべての制御対象の表示部および操作部の内容を液晶部１１の一画面内に収めると、液晶部１１として大きな画面を有するものが必要になり、高価になるとともに全体が大型化することになる。そこで、液晶部１１の一画面当たりの表示量は比較的少なくし、画面の表示内容を切り換えることによって多数の負荷に対する表示部および操作部の内容を液晶部１１に表示できるようにしてある。つまり、液晶部１１の表示内容に連動させてタッチパネル１２の操作内容の解釈を変更している。
【００５７】
液晶部１１の画面の左列には、図２４に示すように、画面を切り換えるための５個の釦Ｓ１  〜Ｓ５  が表示される。これらの釦Ｓ１  〜Ｓ５  は、画面の切換にかかわらず常時表示される。釦Ｓ１  〜Ｓ５  は上から順にパターン制御用（パターン）、グループ制御用（グループ）、照明負荷制御用（調光／点滅）、照明負荷制御用（調光／点滅）、電動カーテン・ファンコイルユニットなどの制御用（電動その他）として設けられている。つまり、これらの釦Ｓ１  〜Ｓ５  に対応する領域でタッチパネル１２に触れる（押す）ことによって、各制御に対応した画面に切り換えられる。また、どの画面が選択されているかは、各釦Ｓ１  〜Ｓ５  の横にマークＭが表示されることによって知ることができる。照明負荷制御用の釦Ｓ３  ，Ｓ４  が２個設けられているのは、他の制御対象に比較して照明負荷がもっとも多いからである。
【００５８】
まず、上述した設定操作端末器を用いて負荷を制御する場合について説明する。照明負荷（白熱灯ないし蛍光灯）の点灯・消灯や調光の制御には、図２５のような画面が表示される。照明負荷の点灯・消灯は１個の操作部で制御することができるが、調光は照明負荷の光出力の増加を指示するアップ操作部と減少を指示するダウン操作部と点灯・消灯を指示するオンオフ操作部とが操作部として必要であり、さらに光出力に応じたレベル表示を行なうレベル表示部と点灯・消灯を示す点灯・消灯表示部とが必要である。オンオフ操作部と点灯・消灯表示部とは照明負荷の点灯・消灯のみを行なう場合にも用いることができる。つまり、調光用の操作部と表示部とがあれば、点灯・消灯のみの操作部および表示部に兼用することができる。したがって、照明負荷用の制御部として、アップ操作釦Ｓ１１、ダウン操作釦Ｓ１２、オンオフ操作釦Ｓ１３が設けられ、表示部として点灯・消灯表示部Ｄ１１と、バー表示によるレベル表示部Ｄ１２とが設けられる。点灯・消灯表示部Ｄ１１はオンオフ操作釦Ｓ１３に重ねて設けられ、照明負荷の状態に応じて「ＯＮ」「ＯＦＦ」の文字が表示される。照明負荷の点灯・消灯のみを指示する場合には、アップ操作釦Ｓ１１、ダウン操作釦Ｓ１２、レベル表示部Ｄ１２は表示されず、オンオフ操作釦Ｓ１３と点灯・消灯表示部Ｄ１１とが表示される。また、点灯・消灯表示部Ｄ１１として図２５に示しているようなシンボルを用いてもよい。
【００５９】
ファンコイルのような電動機器の制御やスピーカの音量調整などを行なうときには、「電動」の釦Ｓ４  に触れると、図２６に示すような画面が表示される。ここでは、負荷としてスピーカ、ファン、電動カーテンの制御を想定している。スピーカについては音量の切換段階に応じた個数の操作部と、スピーカのオン・オフを指示する操作部とが必要である。また、ファンには風量を段階的に変えることができるものと運転・停止だけを指示できるものとを用いており、風量を段階的に変えるものは切り換える段階に応じた個数の操作部と、運転・停止を指示する操作部とが必要であって、運転・停止のみを指示する場合には運転・停止の指示を行なう操作部が必要である。さらに、電動カーテンの開閉には、開動作の指示と、閉動作の指示と、動作の停止とを指示する操作部が必要であり、電動カーテンが開いているか閉じているかを表示する表示部が必要である。
【００６０】
電動カーテンに対する操作部として「開」「停」「閉」の操作釦Ｓ２１〜Ｓ２３を設け、開閉の状態を示す表示部としてシンボルＤ２１を設けている。このシンボルＤ２１は、電動カーテンの開閉の状態に応じて変化する。
電動カーテンが定位置に達しているか否かはリミットスイッチなどを用いて検出し、電動用制御端末器（図示せず）からの検出結果を監視データとして送出することにより設定操作端末器では電動カーテンの開閉状態を知ることができる。また、電動カーテンの開閉は、開閉の操作釦によって指示すると開閉の動作を開始し、停止の指示がなされるまで動作を継続するという形で行なわれる。つまり、照明負荷の調光時のように制御対象の状態が変化している間に操作を継続する必要がないのである。電動用制御端末器では設定操作端末器からの指示により動作の開始または停止と動作方向（モータの回転方向）とを制御データとして受け取ることで電動カーテンを制御し、リミットスイッチなどによる位置検出を行なって監視データとして返送するのである。
【００６１】
ファンに対する操作部としては、送風能力の切換段数に応じた「強」「中」「弱」の操作釦Ｓ３１〜Ｓ３３と、運転・停止を指示する操作釦Ｓ３４とが設けられる。表示部は操作釦Ｓ３４と兼用され、シンボルを操作釦Ｓ３４の位置に表示することによって運転と停止とを示す。
また、スピーカの音量に対する操作部としては、空調能力の切換段数に応じた「１」「２」「３」の操作釦Ｓ３５〜Ｓ３７と、オン・オフを指示する操作釦Ｓ３８とが設けられ、ファンと同様に操作釦Ｓ３８にシンボルを表示することにより運転と停止とを示す。ここに、操作釦Ｓ３１〜Ｓ３３，Ｓ３５〜Ｓ３７は、その操作釦Ｓ３１〜Ｓ３３，Ｓ３５〜Ｓ３７が選択されたときに反転表示され、制御対象の運転能力としてどの段階が選択されているかがわかるようにしてある。
【００６２】
ところで、設定操作端末器では、制御対象のグループ制御が可能である。グループ制御とは、あらかじめ指定された複数個の制御対象を一斉に同じ制御状態に制御することであって、たとえば指定された複数個の制御対象のオンオフの状態を一つの操作部で一括して指示したり、調光による光出力の大きさを一つの操作部で一括して指示するのである。グループ制御を行なうには、どの制御対象を一括して制御するかを指定する必要がある。また、設定操作端末器では、制御対象のパターン制御も可能である。パターン制御とは、あらかじめ指定された複数個の制御対象をあらかじめ設定された制御状態に制御することであって、たとえば１つの操作部の操作によって複数個の照明負荷についてそれぞれ異なる光出力に設定するのである。パターン制御を行なうには、どの制御対象をどのような制御状態に設定するかを指定する必要がある。
【００６３】
グループ制御やパターン制御における制御対象や制御状態の設定については後述する。グループ制御の設定がすでになされている場合には、釦Ｓ２  に触れることによって図２５に示した「調光／点滅」と同様の画面が表示される。この画面では、表示された操作部を操作すると、複数個の制御対象が一括して同じ制御状態に制御されることになる。したがって、室内の光量を全体に増減したいときなどにはグループ制御を行なうことになる。さらに、グループ制御では指定した制御対象について一括制御を行なうものであるが、液晶部１１の画面上にはマスタフェーダＳ８  ，Ｓ９  がバー表示によるレベル表示部Ｄ１  とともに表示され、マスタフェーダＳ８  ，Ｓ９  を用いると、画面表示とは無関係にすべての照明負荷の光出力を増減することができる。マスタフェーダＳ８  ，Ｓ９  は「調光／点滅」や「電動」の画面でも表示される。
【００６４】
一方、パターン制御の設定がすでになされている場合には、シーン（パターン制御は室内の利用の仕方に応じて選択されるから、室内の利用場面ごとにパターン制御の内容を対応付けるのであり、その意味でシーンという用語をパターン制御を意味するものとして用いる）に対応する釦Ｓ１  を操作すると、図２４のように、液晶部１１の画面の下部に操作釦Ｓ４１〜Ｓ４４が表示される。各操作釦Ｓ４１〜Ｓ４４は各シーンに対応付けられており、所望のシーンに対応した操作釦Ｓ４１〜Ｓ４４に対応する領域に触れると、あらかじめ指定されている制御対象がそのシーンに応じた制御状態に制御されるのである。
【００６５】
上述した各操作部やシンボルなどの表示は、設定操作端末器から各種の制御端末器３２への指示を与えた後に伝送制御装置３０から返送される制御データの内容に応じて設定操作端末器の内部処理によって変化する。
上述したように、設定操作端末器では各種の制御対象の制御内容を指示することができ、またグループ制御やパターン制御が可能であるから、各制御対象と操作部とを対応付けるための設定や、グループ制御やパターン制御での制御対象ないし制御状態を対応付けるための設定を行なう必要がある。そこで、制御対象への指示操作のための設定スイッチＳＷが設けられている。釦Ｓ１  〜Ｓ５  のいずれかを選択した状態で設定スイッチＳＷを押操作すると、釦Ｓ１  ，Ｓ２  が選択されているときにはパターン制御やグループ制御の内容を設定することが可能になり、釦Ｓ３  〜Ｓ５  が選択されているときには各制御対象への操作部の対応付けが可能になる。
【００６６】
以下では、設定スイッチＳＷの押操作により設定モードに移行した後の動作について説明する。設定モードの初期画面は、図２８に示すように何を設定するかを選択する画面になる。本実施形態では、「初期設定」、「アドレス設定」、「負荷シンボル設定」、「パターン・グループ設定」、「操作ロック設定」、「画面清掃モード」が選択可能になっている。
【００６７】
すなわち、本実施形態においては、設定操作端末器は図２７に示す各種動作状態を選択することができるように構成されており、制御モードにおいては図２７の左端に上下に並ぶように、「パターン」、「グループ」、「調光／個別」、「電動／その他」という上述した制御が可能になる。一方、設定スイッチＳＷを押操作して設定モードになると、図２７において「設定」の右側に連なる「初期設定」、「アドレス設定」、「負荷シンボル設定」、「パターン・グループ設定」、「操作ロック設定」、「画面清掃モード」の各設定が可能になる。どの設定を行なうかは図２８に示す釦Ｓ７１〜Ｓ７６を押すことで選択する。なお、以下の画面の説明では、各画面で操作に必要な釦以外については符号を省略するが、図２４ないし図２６に示した符号と基本的には同様である。
【００６８】
図２８に示すように、設定モードにおける各種設定の選択画面では、画面の右に「通常画面」と表示された釦Ｓ６１が設けられ、この釦Ｓ６１を押すと、制御モードで釦Ｓ１  〜Ｓ５  のみが表示された画面に移行する。
図１６に示す画面で、「初期設定」を選択すると、図２９に示すように、「コントラスト設定」、「画面消灯設定」、「操作音設定」、「画面自動点灯設定」の各設定を選択する画面が表示される。これらの設定は、設定操作端末器の内部環境を設定するものであって、釦Ｓ８１〜Ｓ８４を押すことで選択される。また、「通常画面」の釦Ｓ６１に加えて画面の右に「前画面」の釦Ｓ６２が設けられる。釦Ｓ６２が押されると一つ前の画面（図２９の状態では図２８の画面）に戻る。
【００６９】
「コントラスト設定」では、液晶部１１の画面のコントラストを調節することができ、図３０に示すように、コントラストの強弱を調節する画面になる。コントラストは２つの釦Ｓ９１，Ｓ９２を用いて強弱を調節し、複数段階（たとえば、７段階）に設定可能になっている。コントラストの強さはバー表示によるレベル表示部Ｄ２  で表示される。
【００７０】
「画面消灯設定」では、図３１に示す画面が表示され、操作入力がなくなってから釦Ｓ１  〜Ｓ５  のみを表示する画面になるまでの時間が釦Ｓ９３〜Ｓ９７によって複数段階（たとえば、分単位で１〜５分の５段階）に選択可能になっている。選択された釦Ｓ９３〜Ｓ９７は反転表示ないし高輝度に表示される。なお、ここで設定した時間が経過して釦Ｓ１  〜Ｓ５  のみを表示している状態では、バックライトが消灯され電力消費が常時よりも少なくなる。
【００７１】
「操作音設定」では、図３２に示す画面になり、釦を押したときに操作音を発生するか否かを釦Ｓ９８により選択することができる。また、「画面自動点灯設定」では図３３に示す画面になる。この画面では、設定操作端末器により制御可能な負荷Ｌが他の操作端末器３１でのスイッチＳの操作によって制御されて負荷Ｌの動作状態が変化したときに、その負荷Ｌの操作に対応した画面を表示して負荷Ｌの動作の変化を示すようにするか否かを釦Ｓ９９により選択する。「画面自動点灯設定」においては「負荷の変化で自動点灯」が選択されていると、釦Ｓ１  〜Ｓ５  のみが表示されている画面になっていたとしても、負荷Ｌの動作状態の変化に伴ってそれを示す画面が表示される。また同時にバックライトも点灯する。
【００７２】
図２８の画面で「アドレス設定」が選択されると、図３４に示すように、端末器としてのアドレスの設定ないし確認が可能になる。ここで、釦Ｓ１  〜Ｓ５  を選択して押すと、図３５、図３７、図３９、図４１のように４個の操作釦Ｓ４１〜Ｓ４４のみが有効な操作部として表示される。つまり、個別スイッチにおいて１チャンネル当たり４個のスイッチを設けていることに対応して４個の操作釦Ｓ４１〜Ｓ４４が有効な操作部として表示されるのである。
【００７３】
いま、図３４の画面において「パターン」の釦Ｓ１  を選択したとすると、パターン設定を行なうことになるから図３５の画面に移行し、いずれかの操作釦Ｓ４１〜Ｓ４４を選択すると、図３６のようにアドレスや端末器の機能を設定するための操作部が表示された画面に移行し、図３５の画面で選択した操作釦Ｓ４１〜Ｓ４４に対応するアドレスや機能が設定可能になる。たとえば、操作釦Ｓ４１を押すと「ＯＮ」の表示により操作釦Ｓ４１が選択されたことが示され、この状態で操作釦Ｓ４１にすでにパターン制御用のアドレス（パターンアドレス）が設定されていれば、その値が表示される。また、パターンアドレスが設定されていないときには、数字キーによりパターンアドレスを設定することができる。すでに設定されているパターンアドレスを変更するときには、「クリアー」の釦を押して前の設定値を消去したた後に数字キーによりパターンアドレスを入力する。この画面では右に「設定」の釦Ｓ６３が表示され、各釦Ｓ４１〜Ｓ４４にパターンアドレスを設定した後に釦Ｓ６３を押すことで、各釦Ｓ４１〜Ｓ４４に対するパターンアドレスが確定するのである。
【００７４】
グループ制御用のアドレス（グループアドレス）や調光／個別制御用のアドレス（調光／個別制御アドレス）や電動機器などの制御用のアドレス（電動その他アドレス）を設定する場合も同様であって、グループアドレスでは図３７の画面から図３８の画面に移行し、調光／個別制御アドレスでは図３９の画面から図４０の画面に移行し、電動その他アドレスでは図４１の画面から図４２の画面に移行する。図３８、図４０、図４２の各画面ではそれぞれグループ制御、調光／個別制御、電動機器等の制御に適した設定用の釦が表示される。とくに、電動機器等の制御では、照明負荷以外の負荷を選択する必要があるから、これらはシンボルにより表示されることになる。図４２の画面では負荷の種類を選択する釦Ｓ６４も表示される。
【００７５】
図２８の画面において、「負荷シンボル設定」を選択したときには、図４３に示す画面が表示される。負荷シンボル設定では上述したシンボルを設定することができる。つまり、図４３に示す画面において釦Ｓ１  〜Ｓ５  のいずれかを選択すると、図４４に示すように、操作釦Ｓ４１〜Ｓ４４が表示されるから、所望の操作釦Ｓ４１〜Ｓ４４を選択して図４５のような画面に移行させる。図４５の画面ではあらかじめフラッシュメモリ２２に登録されている各種シンボルが表示され、負荷の種類に応じたシンボルを選択すれば、選択した操作釦Ｓ４１〜Ｓ４４にシンボルが対応付けられる。フラッシュメモリ２２に登録されたシンボルとしては、たとえば、図４６に示すようなものが考えられる。このようなシンボルを用いることによって、各時点で操作釦Ｓ４１〜Ｓ４４が対象とする制御の内容や負荷の種類を容易に理解することができるのである。また、フラッシュメモリ２２に登録されたシンボルから選択することで操作釦Ｓ４１〜Ｓ４４にシンボルを割り付けることができるから、設定作業が容易になる。
【００７６】
図２８の画面において、「パターン・グループ設定」を選択すれば、図４７に示すように、パターン設定かグループ設定かを選択する画面が表示されるから、釦Ｓ１  ，Ｓ２  によりパターン設定かグループ設定かを選択する。
いま、パターン設定を選択したとすると、図４８に示すように、現時点での負荷の制御状態をそのままパターン制御に用いるか、パターン制御に組み込む負荷を設定操作端末器で指定するかを選択する画面が表示される。現時点での負荷の制御状態をそのままパターン制御に用いる場合には、釦Ｓ５１を押せば図４９に示すようにどの操作釦Ｓ４１〜Ｓ４４に対応付けるかを指定する画面になり、操作釦Ｓ４１〜Ｓ４４を指定すればパターン設定がなされる。ここで、操作釦Ｓ４１〜Ｓ４４の操作から負荷をフェードインないしフェードアウトすることができるように、フェード時間を段階的に設定する釦Ｓ８５〜Ｓ８８が設けられる。つまり、フェード時間は「瞬時」「３秒」「６秒」「１分」から選択可能であって、照明負荷を制御する際に適宜のフェード時間を設定することによって、急激な明るさの変化による眩みが生じるのを避けたり（３秒でよい）、明るさの変化を気づかせないようにしたり（１分がよい）することができる。操作釦Ｓ４１〜Ｓ４４およびフェード時間の選択後に「設定」の釦Ｓ６３を押せば、図５０に示すように、「書込中」の表示がなされ、図１、図２を用いて説明した手順で伝送制御装置３０への関係データの転送が行なわれる。
【００７７】
一方、図４８に示す画面で釦Ｓ５２を選択したときには、図５１に示す画面に移行し、すでに設定されているパターン制御の内容を確認したり、設定操作端末器による負荷の指定でパターン設定を行なったりすることが可能になる。つまり、図５１においてパターン制御の内容を確認したい操作釦Ｓ４１〜Ｓ４４、あるいはパターン制御用に割り当てたい操作釦Ｓ４１〜Ｓ４４を指定すると、図５２に示すように選択した操作釦Ｓ４１〜Ｓ４４に対応するパターン制御の内容が伝送制御装置３０から読み込まれる（このデータ伝送も上述した手順と同様であって、複数に分割されて伝送される）。伝送制御装置３０から設定操作端末器にデータを転送している間には「読込中」の表示がなされる。データの転送が終了すると、図５３に示すように、どの負荷をパターン制御に組み込むかを選択するように促される。そこで、制御対象とする負荷の種別を釦Ｓ３  〜Ｓ５  で選択し、さらに選択した負荷の種類に応じた図５４のような画面において、パターン制御での負荷の状態を設定する。負荷の選択と各負荷の状態の設定とを行なった後に「設定」の釦Ｓ６３を押せば、「書込中」の表示がなされるとともに設定したデータが伝送制御装置３０に転送される。なお、各負荷の設定を行なう図５４の画面において、すでにパターン設定が行なわれているときには、伝送制御装置３０から読み込んだデータに対応した設定状態が表示される。
【００７８】
ところで、図４７の画面でグループに対応する釦Ｓ２  を選択したときには、図５５の画面に移行してグループ設定が可能になる。グループ設定は個々の負荷を指定する場合のパターン設定とほぼ同様であって、所望の操作釦Ｓ４１〜Ｓ４４を選択することにより、図５６の画面に移行し、伝送制御装置３０からのデータの転送が行なわれる。データの転送が終了すると図５７の画面になるから、グループ制御の制御対象とする負荷の種類を選択するために釦Ｓ３  〜Ｓ５  のいずれかを押し、選択された負荷に応じた図５８のような画面内で所望の負荷を選択するのである。グループ制御の場合、選択された負荷は同じ状態に制御されるから、制御状態の選択は１種類だけになる。設定後には上述した伝送手順に従って伝送制御装置３０に対して関係データが転送される。
【００７９】
図２８の画面において、「操作ロック設定」を選択したときは、図５９に示すように、アドレス（チャンネル−負荷番号）を選択するための画面が表示される。操作ロックは、パターン制御ないしグループ制御の際に特定の負荷については個別スイッチでの制御を禁止する設定であって、パターン制御かグループ制御かの別と、負荷の指定とが必要である。つまり、チャンネルは「次」と表示された釦Ｓ５３により選択され、負荷番号は４個設けた個別の釦Ｓ５５〜Ｓ５８により選択される。アドレスの選択後には図６０に示すようにパターン制御かグループ制御かの別を指定する画面が表示され、「パターン」または「グループ」の釦Ｓ１  ，Ｓ２  を押すと、図６１に示すようにどの操作釦Ｓ４１〜Ｓ４４の操作をロックするかを指定する画面が表示される。この画面で指定した操作釦Ｓ４１〜Ｓ４４の操作は、パターン制御（あるいはグループ制御）が行なわれているときには無効になる。
【００８０】
図２８の画面において、「画面清掃モード」を選択したときには、図６２の画面が表示され、画面清掃が行なわれる。なお、このモードの解除は設定スイッチＳＷを押操作することにより行なわれる。
以上概説したような画面が順次表示されることにより、各種設定が可能になるのである。なお、本実施形態においては、「調光／個別」、「電動／その他」における制御内容として表１の内容が可能になっている。
【００８１】
【表１】
0003551713.tif 000002
【００８２】
表１において、タイマー機能「あり」は、一時点灯（３０秒、１分、５分、６０分）または遅れ消灯（３０秒、１分、５分）の選択が可能であることを意味し、図３８、図４０の画面ではこれらの設定が可能であることを示している。
【００８３】
【発明の効果】
請求項１の発明は、スイッチを備えスイッチごとに固有のアドレスが設定される操作端末器と、負荷が接続され負荷ごとに固有のアドレスが設定される制御端末器と、操作端末器および制御端末器を分岐接続した信号線に接続されスイッチが操作されたときに操作端末器から受け取る監視データに基づいて負荷を制御する制御データを生成するとともに操作されたスイッチとの対応関係が設定されている負荷を接続した制御端末器に対して制御データを伝送する伝送制御装置と、信号線に接続され１つのスイッチの操作によって複数の負荷を一括して制御するように関係データを生成し関係データを伝送制御装置に転送し設定させる設定操作端末器とを備え、監視データおよび制御データは伝送制御装置が所定の時間間隔で送出している伝送信号に同期して伝送され、伝送制御装置は、操作端末器または制御端末器との間で監視データないし制御データを授受していない期間に伝送信号に同期させ設定操作端末器との間で関係データを授受し、伝送信号に同期して操作端末器から監視データの伝送開始が通知されると関係データの授受を中断して監視データを伝送させ、一連の監視データと制御データとの伝送後に中断していた関係データの授受を再開するものであり、複数の負荷を１つのスイッチで一括して操作するための関係データを伝送制御装置に設定するにあたって、負荷の制御を妨げることなく関係データを転送することが可能になる。つまり、関係データの伝送中にスイッチが操作されたときには関係データの伝送を中断して負荷の制御を優先させ、負荷の制御が完了してから関係データの伝送を再開するから、伝送制御装置の動作モードを切り換えることなく、スイッチの操作から負荷が制御されるまでの期間以外の空き時間を利用して関係データを伝送することができるという利点を有する。
【００８４】
請求項２の発明のように、設定操作端末器が、文字および図形を表示可能な表示器と、表示器の画面に重ね合わされた透明なタッチパネルと、表示器の表示内容に関連付けられているタッチパネルの操作に応答して負荷を制御する操作モードとスイッチと負荷との対応関係を関係データとして設定する設定モードとを選択可能なスイッチ処理部とを器体内に備えるものでは、表示器の表示内容を切り換えるとともに、タッチパネルの機能を切り換えることができるから、比較的小型の設定操作端末器を用いながらも多機能化が可能になる。
【００８５】
請求項３の発明のように、前記器体のうち少なくともタッチパネルの周囲に露出する化粧プレートが絶縁材料である合成樹脂成形品よりなるものでは、タッチパネルの操作時に人体から静電気が放電することがなく、静電気の放電による内部回路の破損の危険性が少ないという利点を有する。
請求項４の発明のように、前記器体が、内部回路の収納部となる枠本体と、固定具を用いて施工面に固定される取付片とを一体に備えるものでは、固定具以外には取付施工用の部材を別途に用いることなく施工することができるという利点がある。
【００８６】
請求項５の発明のように、表示器およびタッチパネルを収納する前面開口した前ボディと、表示器の表示領域を露出させる開口窓を有し前ボディの開口面側に結合される中プレートとを備え、前ボディの開口面の周部と中プレートの周部とは一方に設けた浮き上がり防止突片と他方に設けた引掛用切欠とが互いに係合することにより結合されているものでは、中プレートに多少の反りなどが生じても前ボディと中プレートとの間に隙間ができることがないという利点がある。
請求項６の発明のように、中プレートの前面に設けた軸受部に軸着される軸ピンを有し表示器の表示内容に関連する情報を表記することができるネーム板が中プレートに対して開閉自在に取着され、中プレートとネーム板との一方には係止爪が形成され他方には係止爪に係合してネーム板を閉じた状態に保持する爪受溝が形成されているものでは、ネーム板を閉じた状態で係止爪と爪受溝とが係合してネーム板を閉じた状態に保つことができるから、ネーム板が不用意に開くことがないという利点がある。
【００８７】
請求項７の発明のように、ネーム板の一部にネーム板が閉じているときに指を掛けることができる指掛部が形成されているものでは、ネーム板が閉じているときに指掛部に指を引掛けてネーム板を開くことができ、別途に工具を用いたりすることなくネーム板を開くことができるという利点がある。
請求項８の発明のように、ネーム板の少なくとも一面に表示器の表示内容に関連する情報を表記したプレートを収納する取付凹所が形成されているものでは、表示器の表示内容に関連して負荷の種類や用途を表記したプレートをネーム板に容易に取り付けることができる。
【００８８】
請求項９の発明のように、外部電線を接続する端子ブロックが実装されたプリント基板を収納する本体ユニットを備え、端子ブロックは導入された外部電線を鎖錠ばねにより保持する速結端子であって、外部電線を外す際にプリント基板の厚み方向の力を作用させることによって鎖錠ばねを撓ませる解除釦を備え、本体ユニットの内部には端子ブロックに対応する部位でプリント基板に当接して解除釦に作用する力によるプリント基板の撓みを防止する支持リブが形成されているものでは、プリント基板が支持リブに当接することによって外部電線を外すために解除釦を押し込んだときにプリント基板が撓むのを防止することができ、押力を解除釦に効率よく作用させることができ、結果的に鎖錠ばねを十分に撓ませて外部電線を抜きやすくすることができるという利点がある。
【００８９】
請求項１０の発明のように、タッチパネルの表面に透明であって貼り替え可能な保護シートが積層されているものでは、指跡が付きにくくなるとともに汚れたときには保護シートを貼り替えるだけで汚れを落とすことができるという利点がある。
請求項１１の発明のように、表示器に表示される図形として負荷の種類や用途を表すシンボルを用いるものでは、表示器の表示内容を見るだけで負荷の種類や用途を直観的に認識することができるという利点がある。
【図面の簡単な説明】
【図１】本発明の実施形態を示す動作説明図である。
【図２】同上におけるデータの伝送手順を示す動作説明図である。
【図３】同上に用いる伝送信号のフォーマットを示す動作説明図である。
【図４】同上のブロック図である。
【図５】同上の分解斜視図である。
【図６】同上の正面図である。
【図７】同上の一部破断した側面図である。
【図８】同上の一部破断した正面図である。
【図９】同上の操作表示ユニットを本体ユニットから外した状態の正面図である。
【図１０】同上の一部破断した背面図である。
【図１１】同上の操作表示ユニットを開いた状態の正面図である。
【図１２】同上の本体ユニットを開いた状態の背面図である。
【図１３】同上に用いる前カバーと中プレートとを示す分解斜視図である。
【図１４】同上に用いるネーム板を示す正面図である。
【図１５】同上に用いるネーム板を示し、（ａ）は図１４中Ｘ−Ｘ線階段断面図、（ｂ）は同図（ａ）のＡ部拡大図である。
【図１６】同上に用いるネーム板を示す背面図である。
【図１７】同上に用いるネーム板を示す下面図である。
【図１８】同上に用いるネーム板を示し、（ａ）は一部破断した側面図、（ｂ）は同図（ａ）のＢ部拡大図である。
【図１９】同上に用いる中プレートを示す正面図である。
【図２０】同上に用いる中プレートを示し、（ａ）は図１９中Ｙ−Ｙ線階段断面図である。
【図２１】同上に用いる中プレートを示し、（ａ）は図１９中Ｚ−Ｚ線階段断面図、（ｂ）は同図（ａ）のＣ部拡大図である。
【図２２】同上に用いる中プレートを示す背面図である。
【図２３】同上に用いる取付枠を示し、（ａ）は正面図、（ｂ）は断面図である。
【図２４】同上の表示例を示す動作説明図である。
【図２５】同上の表示例を示す動作説明図である。
【図２６】同上の表示例を示す動作説明図である。
【図２７】同上の表示内容の切換フローを示す動作説明図である。
【図２８】同上の表示例を示す動作説明図である。
【図２９】同上の表示例を示す動作説明図である。
【図３０】同上の表示例を示す動作説明図である。
【図３１】同上の表示例を示す動作説明図である。
【図３２】同上の表示例を示す動作説明図である。
【図３３】同上の表示例を示す動作説明図である。
【図３４】同上の表示例を示す動作説明図である。
【図３５】同上の表示例を示す動作説明図である。
【図３６】同上の表示例を示す動作説明図である。
【図３７】同上の表示例を示す動作説明図である。
【図３８】同上の表示例を示す動作説明図である。
【図３９】同上の表示例を示す動作説明図である。
【図４０】同上の表示例を示す動作説明図である。
【図４１】同上の表示例を示す動作説明図である。
【図４２】同上の表示例を示す動作説明図である。
【図４３】同上の表示例を示す動作説明図である。
【図４４】同上の表示例を示す動作説明図である。
【図４５】同上の表示例を示す動作説明図である。
【図４６】同上の表示例を示す動作説明図である。
【図４７】同上の表示例を示す動作説明図である。
【図４８】同上の表示例を示す動作説明図である。
【図４９】同上の表示例を示す動作説明図である。
【図５０】同上の表示例を示す動作説明図である。
【図５１】同上の表示例を示す動作説明図である。
【図５２】同上の表示例を示す動作説明図である。
【図５３】同上の表示例を示す動作説明図である。
【図５４】同上の表示例を示す動作説明図である。
【図５５】同上の表示例を示す動作説明図である。
【図５６】同上の表示例を示す動作説明図である。
【図５７】同上の表示例を示す動作説明図である。
【図５８】同上の表示例を示す動作説明図である。
【図５９】同上の表示例を示す動作説明図である。
【図６０】同上の表示例を示す動作説明図である。
【図６１】同上の表示例を示す動作説明図である。
【図６２】同上の表示例を示す動作説明図である。
【図６３】遠隔監視制御システムの基本構成を示すブロック図である。
【図６４】同上の動作説明図である。
【図６５】従来例の動作説明図である。
【符号の説明】２  操作表示ユニット
３  本体ユニット
１１  液晶部
１２  タッチパネル
２０  メインマイコン
３０  伝送制御装置
３１  操作端末器
３２  制御端末器
４１  前ボディ
４１ｂ  浮き上がり防止突片
４２  中プレート
４２ａ  開口窓
４２ｂ  引掛用切欠
４２ｄ  軸受部
４２ｆ  爪受溝
４３  化粧プレート
４９  ネーム板
４９ａ  軸ピン
４９ｆ  係止爪
４９ｈ  取付凹所
４９ｊ  指掛部
５１  取付枠
５１ａ  枠本体
５１ｂ，５１ｃ  取付片
５１ｇ  支持リブ
５３ａ  プリント基板
５４  端子ブロック
Ｌ  負荷
Ｌｓ  信号線
Ｓ０    スイッチ
【図１】
0003551713.tif 000003
【図２】
0003551713.tif 000004
【図３】
0003551713.tif 000005
【図４】
0003551713.tif 000006
【図５】
0003551713.tif 000007
【図６】
0003551713.tif 000008
【図７】
0003551713.tif 000009
【図８】
0003551713.tif 000010
【図９】
0003551713.tif 000011
【図１０】
0003551713.tif 000012
【図１１】
0003551713.tif 000013
【図１２】
0003551713.tif 000014
【図１３】
0003551713.tif 000015
【図１４】
0003551713.tif 000016
【図１５】
0003551713.tif 000017
【図１６】
0003551713.tif 000018
【図１７】
0003551713.tif 000019
【図１８】
0003551713.tif 000020
【図１９】
0003551713.tif 000021
【図２０】
0003551713.tif 000022
【図２１】
0003551713.tif 000023
【図２２】
0003551713.tif 000024
【図２３】
0003551713.tif 000025
【図２４】
0003551713.tif 000026
【図２５】
0003551713.tif 000027
【図２６】
0003551713.tif 000028
【図２７】
0003551713.tif 000029
【図２８】
0003551713.tif 000030
【図２９】
0003551713.tif 000031
【図３０】
0003551713.tif 000032
【図３１】
0003551713.tif 000033
【図３２】
0003551713.tif 000034
【図３３】
0003551713.tif 000035
【図３４】
0003551713.tif 000036
【図３５】
0003551713.tif 000037
【図３６】
0003551713.tif 000038
【図３７】
0003551713.tif 000039
【図３８】
0003551713.tif 000040
【図３９】
0003551713.tif 000041
【図４０】
0003551713.tif 000042
【図４１】
0003551713.tif 000043
【図４２】
0003551713.tif 000044
【図４３】
0003551713.tif 000045
【図４４】
0003551713.tif 000046
【図４５】
0003551713.tif 000047
【図４６】
0003551713.tif 000048
【図４７】
0003551713.tif 000049
【図４８】
0003551713.tif 000050
【図４９】
0003551713.tif 000051
【図５０】
0003551713.tif 000052
【図５１】
0003551713.tif 000053
【図５２】
0003551713.tif 000054
【図５３】
0003551713.tif 000055
【図５４】
0003551713.tif 000056
【図５５】
0003551713.tif 000057
【図５６】
0003551713.tif 000058
【図５７】
0003551713.tif 000059
【図５８】
0003551713.tif 000060
【図５９】
0003551713.tif 000061
【図６０】
0003551713.tif 000062
【図６１】
0003551713.tif 000063
【図６２】
0003551713.tif 000064
【図６３】
0003551713.tif 000065
【図６４】
0003551713.tif 000066
【図６５】
0003551713.tif 000067